(57)【要約】【課題】面光源の面方向における発光装置の寸法と、発光装置の厚みとを抑制する。【解決手段】光源固定装置２００は、ベース部材２０１と、ベース部材２０１と面光源１００とを相互に連結する連結部材３１０と、第１軸支部３１１と、第２軸支部３１２と、を備える。第１軸支部３１１は、連結部材３１０が面光源１００に対して平行な第１回転軸周りに回動可能となるように、連結部材３１０の一端部をベース部材２０１に対して軸支する。第２軸支部３１２は、連結部材３１０が第１回転軸に対して平行な第２回転軸周りに回動可能となるように、連結部材３１０の他端部を面光源１００に対して軸支する。連結部材３１０を第１回転軸周りおよび第２回転軸周りに回動させるとともに、面光源１００とベース部材２０１との距離を近づけることにより、面光源１００をベース部材２０１に取り付け可能である。【選択図】図１
2014235866.tif 000002
【特許請求の範囲】
【請求項１】
面光源が固定される光源固定装置であって、
ベース部材と、
前記ベース部材と前記面光源とを相互に連結する連結部材と、
前記連結部材が前記面光源に対して平行な第１回転軸周りに回動可能となるように、前記連結部材の一端部を前記ベース部材に対して軸支する第１軸支部と、
前記連結部材が前記第１回転軸に対して平行な第２回転軸周りに回動可能となるように、前記連結部材の他端部を前記面光源に対して軸支する第２軸支部と、
を備え、
前記連結部材を前記第１回転軸周りおよび前記第２回転軸周りに回動させるとともに、前記面光源と前記ベース部材との距離を近づけることにより、前記面光源を前記ベース部材に取り付け可能である光源固定装置。
【請求項２】
前記ベース部材は、前記面光源と電気的に接続される電極部を有する請求項１に記載の光源固定装置。
【請求項３】
前記ベース部材において前記面光源と対向する面には凹部が形成されているか、又は、前記ベース部材には前記面光源と対向する面からその裏面に亘って貫通する開口が形成され、
前記第１軸支部は前記凹部内又は前記開口内に配置されている請求項１又は２に記載の光源固定装置。
【請求項４】
前記第１軸支部は前記ベース部材の側面に配置されている請求項１又は２に記載の光源固定装置。
【請求項５】
面光源と、
前記面光源が固定される光源固定装置と、
を備え、
前記光源固定装置は、
ベース部材と、
前記ベース部材と前記面光源とを相互に連結する連結部材と、
前記連結部材が前記面光源に対して平行な第１回転軸周りに回動可能となるように、前記連結部材の一端部を前記ベース部材に対して軸支する第１軸支部と、
前記連結部材が前記第１回転軸に対して平行な第２回転軸周りに回動可能となるように、前記連結部材の他端部を前記面光源に対して軸支する第２軸支部と、
を備え、
前記連結部材を前記第１回転軸周りおよび前記第２回転軸周りに回動させるとともに、前記面光源と前記ベース部材との距離を近づけて、前記面光源と前記ベース部材とを相互に接触させることにより、前記面光源と前記ベース部材とが相互に機械的に固定されるとともに、前記ベース部材が有する電極部と前記面光源とが相互に電気的に接続される発光装置。
【発明の詳細な説明】
【技術分野】
【０００１】
本発明は、光源固定装置および発光装置に関する。
【背景技術】
【０００２】
面光源を壁や天井等に設置するための技術としては、例えば、特許文献１、２の技術がある。
【０００３】
特許文献１に記載の照明装置は、面光源が固定される固定部材を備えている。この固定部材は、板材と、板材の対向する辺のそれぞれに沿って配置された一対のレールと、を備える。各レールは、面光源側に向けて起立し、各レールには面光源側を向く溝が形成されている。一方、面光源には、面光源の対向する辺のそれぞれに沿って配置された一対の支持材が設けられている。各支持材は、固定部材側に向けて起立している。面光源に設けられた一対の支持材を、固定部材の一対のレールの溝にそれぞれ嵌め込むことにより、面光源が固定部材に取り付けられるようになっている。
【０００４】
特許文献２には、開口を有する筐体と、筐体の開口に配置される額縁状の支持体と、支持体を筐体に対して回転可能に支持するヒンジと、を備え、支持体の開口から外方を臨むようにして支持体により面光源が支持される照明装置が記載されている。
【先行技術文献】
【特許文献】
【０００５】
【特許文献１】特開２０１１−８９１８号公報
【特許文献２】特開２０１２−２４３７５７号公報
【発明の概要】
【発明が解決しようとする課題】
【０００６】
特許文献１の技術では、各レールが固定部材から面光源側に起立しているとともに、各支持材が面光源から固定部材側に起立しているため、照明装置の厚みが厚くなってしまう。
【０００７】
一方、特許文献２の技術では、額縁状のパネル支持体とヒンジとを備えるため、面光源の面方向における照明装置の寸法が大きくなってしまう。
【０００８】
本発明が解決しようとする課題としては、面光源の面方向における発光装置の寸法と、発光装置の厚みとを抑制することが一例として挙げられる。
【課題を解決するための手段】
【０００９】
請求項１に記載の発明は、
面光源が固定される光源固定装置であって、
ベース部材と、
前記ベース部材と前記面光源とを相互に連結する連結部材と、
前記連結部材が前記面光源に対して平行な第１回転軸周りに回動可能となるように、前記連結部材の一端部を前記ベース部材に対して軸支する第１軸支部と、
前記連結部材が前記第１回転軸に対して平行な第２回転軸周りに回動可能となるように、前記連結部材の他端部を前記面光源に対して軸支する第２軸支部と、
を備え、
前記連結部材を前記第１回転軸周りおよび前記第２回転軸周りに回動させるとともに、前記面光源と前記ベース部材との距離を近づけることにより、前記面光源を前記ベース部材に取り付け可能である光源固定装置である。
【００１０】
請求項５に記載の発明は、
面光源と、
前記面光源が固定される光源固定装置と、
を備え、
前記光源固定装置は、
ベース部材と、
前記ベース部材と前記面光源とを相互に連結する連結部材と、
前記連結部材が前記面光源に対して平行な第１回転軸周りに回動可能となるように、前記連結部材の一端部を前記ベース部材に対して軸支する第１軸支部と、
前記連結部材が前記第１回転軸に対して平行な第２回転軸周りに回動可能となるように、前記連結部材の他端部を前記面光源に対して軸支する第２軸支部と、
を備え、
前記連結部材を前記第１回転軸周りおよび前記第２回転軸周りに回動させるとともに、前記面光源と前記ベース部材との距離を近づけて、前記面光源と前記ベース部材とを相互に接触させることにより、前記面光源と前記ベース部材とが相互に機械的に固定されるとともに、前記ベース部材が有する電極部と前記面光源とが相互に電気的に接続される発光装置である。
【図面の簡単な説明】
【００１１】
【図１】図１（ａ）は実施形態に係る発光装置の斜視図、図１（ｂ）は実施形態に係る発光装置の面光源における光源固定装置側の面を示す平面図（裏面図）である。
【図２】図２（ａ）および（ｂ）は実施形態に係る発光装置の動作を示す斜視図である。
【図３】実施形態に係る発光装置の面光源の発光パネルの構成の例を示す断面図である。
【図４】発光パネルの有機機能層の層構造の第１例を示す断面図である。
【図５】発光パネルの有機機能層の層構造の第２例を示す断面図である。
【図６】図６（ａ）および図６（ｂ）は実施例１に係る発光装置の側面図である。
【図７】図７（ａ）〜（ｄ）は実施例１に係る発光装置の面光源を示す図である。
【図８】図８（ａ）〜（ｄ）は実施例１に係る発光装置の光源固定装置を示す図である。
【図９】図９（ａ）〜（ｄ）は実施例２に係る発光装置の光源固定装置を示す図である。
【図１０】図１０（ａ）〜（ｄ）は実施例３に係る発光装置の面光源を示す図である。
【図１１】図１１（ａ）〜（ｄ）は実施例３に係る発光装置の光源固定装置を示す図である。
【図１２】図１２（ａ）は実施例４に係る発光装置の光源固定装置の連結部材の端部を示す側面図、図１２（ｂ）は実施例４に係る発光装置の面光源に設けられた軸部を示す斜視図である。
【発明を実施するための形態】
【００１２】
以下、実施の形態について、図面を用いて説明する。尚、すべての図面において、同様の構成要素には同一の符号を付し、適宜説明を省略する。
【００１３】
図１（ａ）は実施形態に係る発光装置の斜視図である。図１（ｂ）は実施形態に係る発光装置の面光源１００における光源固定装置２００側の面（第２面１０１ｂ）を示す平面図（裏面図）である。図２（ａ）および（ｂ）は実施形態に係る発光装置の動作を示す斜視図であり、このうち図２（ａ）は面光源１００とベース部材２０１とが離間した状態を示し、図２（ｂ）は面光源１００がベース部材２０１に取り付けられた状態を示す。本実施形態に係る発光装置の面光源１００は、例えば、ディスプレイ、照明装置、又は光通信装置の光源として用いることができる。
【００１４】
本実施形態に係る光源固定装置２００は、面光源１００が固定されるものである。光源固定装置２００は、ベース部材２０１と、ベース部材２０１と面光源１００とを相互に連結する連結部材３１０と、第１軸支部３１１と、第２軸支部３１２と、を備える。第１軸支部３１１は、連結部材３１０が面光源１００に対して平行な第１回転軸周りに回動可能となるように、連結部材３１０の一端部をベース部材２０１に対して軸支する。第２軸支部３１２は、連結部材３１０が第１回転軸に対して平行な第２回転軸周りに回動可能となるように、連結部材３１０の他端部を面光源１００に対して軸支する。連結部材３１０を第１回転軸周りおよび第２回転軸周りに回動させるとともに、面光源１００とベース部材２０１との距離を近づけることにより、面光源１００をベース部材２０１に取り付け可能である（図２（ｂ））。
【００１５】
本実施形態に係る発光装置は、面光源１００と、面光源１００が固定される光源固定装置２００と、を備える。光源固定装置２００は、ベース部材２０１と、ベース部材２０１と面光源１００とを相互に連結する連結部材３１０と、第１軸支部３１１と、第２軸支部３１２と、を備える。第１軸支部３１１は、連結部材３１０が面光源１００に対して平行な第１回転軸周りに回動可能となるように、連結部材３１０の一端部をベース部材２０１に対して軸支する。第２軸支部３１２は、連結部材３１０が第１回転軸に対して平行な第２回転軸周りに回動可能となるように、連結部材３１０の他端部を面光源１００に対して軸支する。連結部材３１０を第１回転軸周りおよび第２回転軸周りに回動させるとともに、面光源１００とベース部材２０１との距離を近づけて、面光源１００とベース部材２０１とを相互に接触させることにより、面光源１００とベース部材２０１とが相互に機械的に固定されるとともに、前記ベース部材２０１が有する電極部２７１、２７２と面光源１００とが相互に電気的に接続される。
【００１６】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００１７】
面光源１００は、パネル状（板状）の発光パネル１０１を少なくとも備えている。一例として、発光パネル１０１の平面形状は、矩形状であることが挙げられるが、その他の多角形状（五角形、六角形など）でも良いし、円形、楕円形、長円形などでも良い。発光パネル１０１の一方の面である第１面１０１ａは、光を出射する発光面（光取り出し面）となっている。発光パネル１０１の他方の面である第２面１０１ｂは、光源固定装置２００のベース部材２０１側を向く面である。
【００１８】
ベース部材２０１は、例えば板状に形成されている。ベース部材２０１の一方の面は、面光源１００側を向く第１面２０１ａであり、ベース部材２０１の他方の面である第２面は、天井面や壁面などに固定される面である。
【００１９】
なお、図２（ｂ）に示すように面光源１００がベース部材２０１に取り付けられた状態で面光源１００の面直方向に発光装置を見たときに、面光源１００の外形線、すなわち発光パネル１０１の外形線から、ベース部材２０１がはみ出さないように、ベース部材２０１の寸法が設定されていることが好ましい。
【００２０】
なお、本実施形態の場合、例えば、図２（ｂ）に示すように面光源１００がベース部材２０１に取り付けられた状態で面光源１００の面直方向に発光装置を見たときに、面光源１００の外形線（発光パネル１０１の外形線）と、ベース部材２０１の外形線とが一致するようになっている。したがって、本実施形態の場合、ベース部材２０１の平面形状は、例えば、矩形状である。
【００２１】
光源固定装置２００が備える連結部材３１０の数は、１つ以上であればよい。本実施形態の場合、光源固定装置２００は、例えば、２つの連結部材３１０を備えている。
【００２２】
連結部材３１０は、例えば棒状の部材である。より具体的には、連結部材３１０は、板状で、且つ、その面方向における一方向に長尺な棒状の部材である。
【００２３】
連結部材３１０の一端部には、第１軸支部３１１が形成され、連結部材３１０の他端部には、第２軸支部３１２が形成されている。第２軸支部３１２の中心軸方向と、第１軸支部３１１の中心軸方向とは、互いに平行である。第１軸支部３１１および第２軸支部３１２は、例えば、それぞれ連結部材３１０を貫通する軸支孔である。
【００２４】
ベース部材２０１には、軸部３２０が設けられている。軸部３２０は、連結部材３１０の第１軸支部３１１によって軸受けされている。軸部３２０は、例えば円柱形状に形成されている。例えば、ベース部材２０１の１つの側面と、当該１つの側面とは反対側の側面と、にそれぞれ軸部３２０が設けられている。一方の軸部３２０は、ベース部材２０１の当該１つの側面より側方に突出している。他方の軸部３２０は、ベース部材２０１の当該１つの側面とは反対側の側面より側方に突出している。これら軸部３２０は、互いに同軸に配置され、且つ、これら軸部３２０の軸方向は、ベース部材２０１の当該１つの側面（および当該１つの側面とは反対側の側面）に対して直交している。
【００２５】
発光パネル１０１には、軸部３３０が設けられている。軸部３３０は、連結部材３１０の第２軸支部３１２によって軸受けされる。軸部３３０は、例えば円柱形状に形成されている。例えば、発光パネル１０１の１つの側面と、当該１つの側面とは反対側の側面と、にそれぞれ軸部３３０が設けられている。一方の軸部３３０は、発光パネル１０１の当該１つの側面より側方に突出している。他方の軸部３３０は、発光パネル１０１の当該１つの側面とは反対側の側面より側方に突出している。これら軸部３３０は、互いに同軸に配置され、且つ、これら軸部３２０の軸方向は、発光パネル１０１の当該１つの側面（および当該１つの側面とは反対側の側面）に対して直交している。
【００２６】
軸部３３０は、第２軸支部３１２に対して着脱可能となっている。すなわち、面光源１００は、光源固定装置２００に対して着脱可能となっている。
【００２７】
ベース部材２０１は、面光源１００と電気的に接続される電極部を有している。ベース部材２０１の電極部の数は任意であるが、ベース部材２０１は、例えば、一対の電極部２７１、２７２を有している。
【００２８】
一方、面光源１００は、ベース部材２０１の電極部と電気的に接続される電極部を有している。面光源１００は、例えば、一対の電極部１７１、１７２（図１（ｂ））を有している。
【００２９】
更に、発光装置は、面光源１００がベース部材２０１上に配置された状態で、面光源１００とベース部材２０１とを相互に係合させて、面光源１００とベース部材２０１とを相互に機械的に結合させるための係合部を備えている。図示はしないが、例えば、面光源１００の第２面１０１ｂには、ベース部材２０１側に向けて突出する係合爪が形成され、ベース部材２０１の第１面２０１ａには、面光源１００の係合爪が嵌入することによって該係合爪と係合する係合孔が形成されている。
【００３０】
図２（ａ）の状態では、軸部３３０が第２軸支部３１２によって軸受けされている。この状態で、面光源１００は、軸部３２０の軸心を揺動の中心として、ベース部材２０１に対して揺動可能である。図２（ａ）の状態から、図２（ｂ）に示すように、連結部材３１０を軸部３２０の軸周り（第１回転軸周り）および軸部３３０の軸周り（第２回転軸周り）に回動させるとともに、面光源１００とベース部材２０１との距離を近づけることにより、面光源１００をベース部材２０１に取り付けることができる。
【００３１】
また、図２（ｂ）に示すように面光源１００をベース部材２０１に取り付けることによって、面光源１００の係合爪とベース部材２０１の係合孔とが相互に係合する。これにより、面光源１００とベース部材２０１とが相互に機械的に固定される。
また、このとき、電極部１７１が電極部２７１に対して接触して電極部１７１と電極部２７１とが相互に電気的に接続されるとともに、電極部１７２が電極部２７２に対して接触して電極部１７２と電極部２７２とが相互に電気的に接続される。電極部２７１、２７２には、図示しない外部電源からの電力が供給されるようになっている。このため、図２（ｂ）に示すように面光源１００をベース部材２０１に取り付けることによって、電極部２７１、２７２から電極部１７１、１７２に対して外部電源からの電力が供給される状態となる。
【００３２】
例えば、電極部１７１は、後述する第１電極１３０（図３）に電気的に接続されており、電極部１７２は、後述する第２電極１５０（図３）に電気的に接続されている。そして、面光源１００の後述する発光素子１０２（図３）は、外部電源から供給される電力によって発光する。
【００３３】
次に、発光パネル１０１の構成の例を説明する。図３は実施形態に係る発光パネル１０１の構成の例を示す断面図である。
【００３４】
発光パネル１０１は、発光素子１０２と、この発光素子１０２が一方の面に設けられた固定板１６０と、を備えている。
【００３５】
発光素子１０２は、例えば、有機ＥＬ（Ｅｌｅｃｔｒｏ  Ｌｕｍｉｎｅｓｃｅｎｃｅ）素子であることが挙げられる。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図３の上面）は、発光パネル１０１の第１面１０１ａを構成している。第１面１０１ａは、光を放射する発光面となっている。
【００３６】
発光パネル１０１は、発光素子１０２を発光させる制御を行う電子回路を含んで構成されていても良いし、電子回路は、発光パネル１０１とは別体となっていても良い。
【００３７】
図３には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図３において下側）に配置されている。有機機能層１４０は、第１電極１３０を基準として透光性基板１１０とは反対側（図３において下側）に配置されている。第２電極１５０は、有機機能層１４０を基準として第１電極１３０とは反対側（図３において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００３８】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の第１面１０１ａ）を構成していても良い。
【００３９】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００４０】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００４１】
図示しない接続導体を介して、第１電極１３０には電極部１７１が電気的に接続されている。同様に、図示しない接続導体を介して、第２電極１５０には電極部１７２が電気的に接続されている。このため、面光源１００をベース部材２０１に取り付けることによって、外部電源から発光素子１０２に電力を供給し、発光素子１０２を発光させることができる。
【００４２】
以下、有機機能層１４０の層構造のより具体的な例を説明する。
【００４３】
図４は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００４４】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００４５】
なお、発光層１４３は、複数の色を発光するための材料を混ぜることにより、白色等の単一の発光色で発光するように構成されていても良い。
【００４６】
図５は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００４７】
次に、動作を説明する。
【００４８】
面光源１００は、使用状態では、図２（ｂ）に示すように、面光源１００がベース部材２０１に取り付けられている。この場合に、ある面光源１００が劣化した場合等に、当該面光源１００を交換するには、以下に説明するようなオペレーションを行う。
なお、複数の面光源１００が互いにほぼ隙間無くタイリングされているものとする。そして、交換対象となる面光源１００は、隣接する４つの面光源１００により囲まれており、当該交換対象となる面光源１００の面方向には殆ど移動できない状態であるものとする。
【００４９】
例えば、先ず、第１面１０１ａを吸盤等で吸着保持し、面光源１００をベース部材２０１から離間する方向に引っ張る。これにより、面光源１００の係合爪とベース部材２０１の係合孔との係合が外れ、図２（ａ）に示すように、面光源１００がベース部材２０１から離間する。このとき、一対の連結部材３１０は、軸部３２０を回転中心として揺動し、ベース部材２０１から起立する。
【００５０】
ここで、連結部材３１０は、軸部３２０に対して回転するだけでなく、軸部３３０に対しても回転する。つまり、連結部材３１０は、第１回転軸周りに回転するとともに第１回転軸に対して平行な第２回転軸周りにも回転する。このため、例えば面光源１００をベース部材２０１に対してほぼ平行に維持したまま、面光源１００をベース部材２０１から離間させることができる。よって、交換対象となる面光源１００と、それに隣接する面光源１００とのクリアランスが極めて小さい場合にも、交換対象となる面光源１００とそれに隣接する面光源１００とが干渉することなく、交換対象となる面光源１００をベース部材２０１から離間させることができる。
【００５１】
次に、面光源１００の両側の軸部３３０からそれぞれ連結部材３１０を取り外す。この動作は、例えば、一対の連結部材３１０の第２軸支部３１２どうしの間隔が広がる方向へと、一対の連結部材３１０を面光源１００の側方へ撓ませることなどにより行う。これにより、面光源１００をベース部材２０１から分離させることができる。
このとき、面光源１００はベース部材２０１から離間しているため、交換する面光源１００の周囲に他の面光源１００が存在しない。よって、面光源１００を他の面光源１００と干渉させずに、面光源１００を連結部材３１０から容易に取り外すことができる。
【００５２】
次に、新しい面光源１００を連結部材３１０に取り付ける。このためには、まず、一対の連結部材３１０の第２軸支部３１２どうしの間隔が広がる方向へと、一対の連結部材３１０を撓ませ、その状態で、一対の第２軸支部３１２の間に面光源１００を配置し、面光源１００に設けられた一対の軸部３３０を一対の第２軸支部３１２に対してそれぞれ位置合わせする。次に、一対の連結部材３１０を弾性復帰させることにより、一対の軸部３３０を一対の第２軸支部３１２に対してそれぞれ嵌め込む。
ここで、新しい面光源１００を連結部材３１０に取り付ける際にも、取り付けられる面光源１００の周囲に他の面光源１００が存在しないため、面光源１００を他の面光源１００と干渉させずに容易に連結部材３１０に取り付けることができる。
【００５３】
ここで、図１および図２には、軸部３３０が発光パネル１０１の側面の長手方向における中央部に配置されている例を示しているが、発光パネル１０１の側面における軸部３３０の配置は、この例に限らない。軸部３３０は、発光パネル１０１の側面の長手方向における中央部からオフセットして配置されている方が、発光パネル１０１を誤った向きにして軸部３３０を第２軸支部３１２に嵌め込んでしまうこと（いわゆる誤差しを行ってしまうこと）を抑制できるため好ましい。
【００５４】
次に、面光源１００がベース部材２０１上に重なるように、一対の連結部材３１０を、軸部３２０を回転中心として揺動させる。換言すれば、面光源１００をベース部材２０１側に押し込むことにより、一対の連結部材３１０がベース部材２０１側に倒れる方向へ軸部３２０を回転中心として揺動するとともに、面光源１００がベース部材２０１上に重なる。このとき、面光源１００は、一対の連結部材３１０によって案内されることにより、ベース部材２０１上の所定の位置に自ずと位置決めされる。
【００５５】
これにより、新しい面光源１００を図２（ａ）に示すようにベース部材２０１に対して取り付けることができる。このとき、面光源１００の係合爪とベース部材２０１の係合孔とが相互に係合することにより、面光源１００とベース部材２０１とが相互に機械的に固定される。これとともに、面光源１００の電極部２７１、２７２がそれぞれベース部材２０１の電極部２７１、２７２に対して接触し、電極部２７１、２７２が電極部２７１、２７２に対して電気的に接続される。
【００５６】
ここで、面光源１００をベース部材２０１側に押し込むだけで、面光源１００は連結部材３１０によってベース部材２０１上の所定の設置位置へ案内されるとともに、面光源１００とベース部材２０１とが相互に電気的に接続される。
このため、面光源１００の背面側（ベース部材２０１側）とベース部材２０１との接続に配慮する必要が無い。
【００５７】
なお、面光源１００を取り外す際に面光源１００をベース部材２０１から離間させた状態でも、面光源１００は図２（ａ）に示すように連結部材３１０を介してベース部材２０１に対して連結されているので、直ちに面光源１００がベース部材２０１から外れる訳ではない。このため、設置状態の面光源１００に対して何らかの外力が作用することなどにより、面光源１００がベース部材２０１から離間してしまった場合でも、面光源１００がベース部材２０１から分離し脱落してしまう可能性は低い。
【００５８】
以上、本実施形態によれば、光源固定装置２００は、ベース部材２０１と、ベース部材２０１と面光源１００とを相互に連結する連結部材３１０と、第１軸支部３１１と、第２軸支部３１２と、を備える。第１軸支部３１１は、連結部材３１０が面光源１００に対して平行な第１回転軸周りに回動可能となるように、連結部材３１０の一端部をベース部材２０１に対して軸支する。第２軸支部３１２は、連結部材３１０が第１回転軸に対して平行な第２回転軸周りに回動可能となるように、連結部材３１０の他端部を面光源１００に対して軸支する。そして、連結部材３１０を第１回転軸周りおよび第２回転軸周りに回動させるとともに、面光源１００とベース部材２０１との距離を近づけることにより、面光源１００をベース部材２０１に取り付け可能である。
【００５９】
よって、面光源１００の面方向における発光装置の寸法を抑制することができるので、複数の面光源１００をなるべく隙間無く並べて配置することが可能である。本実施形態の場合、例えば、面光源１００の面直方向に発光装置を見たときに、面光源１００の外側には軸部３３０、連結部材３１０および軸部３２０のみを配置すれば良いため、隣接する面光源１００とのクリアランスを極めて小さくすることができる。面光源１００をタイリングした場合に、隣り合う面光源１００どうしの隙間が広い、すなわち額縁幅が広くなると、格子状の非発光部分が目立つことになり、美観を損ねてしまう。これに対し、本実施形態では、複数の面光源１００をなるべく隙間無く並べて配置することが可能であるため、複数の面光源１００をタイリングしたときの美観を優れたものとすることができる。
【００６０】
また、発光装置の厚みについては、例えば、図２（ｂ）に示すようにベース部材２０１の厚みと面光源１００の厚みとを合わせただけの厚みとすることができるため、発光装置の厚みを抑制することができる。
【００６１】
また、上記のように、面光源１００とベース部材２０１とを相互に連結する連結部材３１０は、互いに平行な２つの軸（第１回転軸および第２回転軸）まわりに回動する。このため、面光源１００をベース部材２０１に対してほぼ平行に維持したまま、面光源１００をベース部材２０１から離間させることができる。特に、面光源１００がベース部材２０１に近接した状態では、面光源１００を実質的に該面光源１００の面直方向へ移動させることにより、面光源１００をベース部材２０１から離間させることができる。よって、交換対象となる面光源１００と、それに隣接する面光源１００とのクリアランスが極めて小さい場合にも、交換対象となる面光源１００とそれに隣接する面光源１００とが干渉することなく、交換対象となる面光源１００をベース部材２０１から離間させることができる。その結果、互いに隣接して配置される面光源１００どうしクリアランスを極めて小さくすることができる。
【００６２】
また、面光源１００が連結部材３１０を介してベース部材２０１に連結されるため、面光源１００が意図せず脱落してしまう可能性を低減することができる。
【００６３】
また、ベース部材２０１は、面光源１００と電気的に接続される電極部２７１、２７２を有するので、ベース部材２０１と面光源１００とを相互に電気的に接続することができ、例えば、ベース部材２０１から面光源１００へと電力を供給することができる。
【００６４】
また、軸部（第１軸支部）３２０はベース部材２０１の側面に配置されているので、発光装置の厚みをより一層抑制することができる。
【００６５】
また、発光装置は、ベース部材２０１と、ベース部材２０１と面光源１００とを相互に連結する連結部材３１０と、第１軸支部３１１と、第２軸支部３１２と、を備える。第１軸支部３１１は、連結部材３１０が面光源１００に対して平行な第１回転軸周りに回動可能となるように、連結部材３１０の一端部をベース部材２０１に対して軸支する。第２軸支部３１２は、連結部材３１０が第１回転軸に対して平行な第２回転軸周りに回動可能となるように、連結部材３１０の他端部を面光源１００に対して軸支する。そして、連結部材３１０を第１回転軸周りおよび第２回転軸周りに回動させるとともに、面光源１００とベース部材２０１との距離を近づけて、面光源１００とベース部材２０１とを相互に接触させることにより、面光源１００とベース部材２０１とが相互に機械的に固定されるとともに、ベース部材２０１が有する電極部２７１、２７２と面光源１００とが相互に電気的に接続される。
よって、面光源１００の面方向における発光装置の寸法を抑制することができるので、複数の面光源１００をなるべく隙間無く並べて配置することが可能である。本実施形態の場合、例えば、面光源１００の面直方向に発光装置を見たときに、面光源１００の外側には軸部３３０、連結部材３１０および軸部３２０のみを配置すれば良いため、隣接する面光源１００とのクリアランスを極めて小さくすることができる。また、発光装置の厚みについては、例えば、ベース部材２０１の厚みと面光源１００の厚みとを合わせただけの厚みとすることができるため、発光装置の厚みを抑制することができる。
また、面光源１００が連結部材３１０を介してベース部材２０１に連結されるため、面光源１００が意図せず脱落してしまう可能性を低減することができる。
【実施例】
【００６６】
（実施例１）
図６（ａ）および図６（ｂ）は実施例１に係る発光装置の側面図である。図７（ａ）〜（ｄ）は実施例１に係る発光装置の面光源１００を示す図であり、このうち図７（ａ）は第１面１０１ａ側から見た平面図、図７（ｂ）は側面図（図７（ａ）の下側から見た図）、図７（ｃ）は第２面１０１ｂ側から見た平面図（裏面図）、図７（ｄ）は正面図（図７（ａ）の右側から見た図）である。図８（ａ）〜（ｄ）は実施例１に係る発光装置の光源固定装置２００を示す図であり、このうち図８（ａ）は第１面２０１ａ側から見た平面図、図８（ｂ）は側面図（図８（ａ）の下側から見た図）、図８（ｃ）は第２面２０１ｂ側から見た平面図（裏面図）、図８（ｄ）は正面図（図８（ａ）の右側から見た図）である。本実施例に係る発光装置は、以下に説明する点で上記の実施形態に係る発光装置と相違し、その他の点では実施形態に係る発光装置と同様に構成されている。
【００６７】
本実施例の場合、ベース部材２０１において面光源１００と対向する面（第１面２０１ａ）には凹部が形成されているか、又は、ベース部材２０１には面光源１００と対向する面（第１面２０１ａ）からその裏面（第２面２０１ｂ）に亘って貫通する開口３５０が形成されている。本実施例の場合、例えば、ベース部材２０１には開口３５０が形成されている。開口３５０は、各連結部材３１０と対応して配置されている。例えば、２つの開口３５０がベース部材２０１に形成されている。
【００６８】
上記の実施形態では、第２軸支部３１２が軸支孔である例を説明したが、本実施例の場合、第２軸支部３１２は、例えば弧状の軸受部である。
【００６９】
また、上記の実施形態では、軸部３３０が発光パネル１０１の側面に設けられている例を説明したが、本実施例の場合、軸部３３０は、発光パネル１０１におけるベース部材２０１側の面（第２面１０１ｂ）に設けられている。本実施例の場合も、例えば２つの軸部３３０が発光パネル１０１に設けられ、これら軸部３３０は、同軸上に配置されている。
【００７０】
また、上記の実施形態では、第１軸支部３１１が軸支孔である例を説明したが、本実施例の場合、第１軸支部３１１は、例えば円柱状の軸部である。第１軸支部３１１の軸方向は、連結部材３１０の長手方向に対して直交している。
【００７１】
また、上記の実施形態では、ベース部材２０１の側面に軸部３２０が設けられている例を説明したが、本実施例では、ベース部材２０１の側面には軸部３２０が設けられていない。その代わりに、上記の開口３５０の互いに対向する側壁の各々には、第１軸支部３１１の両端部をそれぞれ軸受けする軸受孔３６０が形成されている。これら軸受孔３６０は互いに同軸上に配置されている。なお、軸受孔３６０の数は、１つの第１軸支部３１１につき、１つであっても良い。この場合、軸受孔３６０は、第１軸支部３１１の一端部を軸受けする。
【００７２】
そして、連結部材３１０の第１軸支部３１１は、ベース部材２０１の凹部内又は開口３５０内に配置されている。本実施例の場合、第１軸支部３１１は、ベース部材２０１の開口３５０内に配置され、該第１軸支部３１１の両端部は、軸受孔３６０によってそれぞれ軸受けされている。
なお、ベース部材２０１が十分な厚さを有する場合、ベース部材２０１に凹部を形成し、この凹部内に第１軸支部３１１を配置しても良い。この場合、軸受孔３６０は、凹部の側壁の各々に形成される。
【００７３】
また、発光パネル１０１の第２面１０１ｂには、第１係合部１８０が設けられ、ベース部材２０１の第１面２０１ａには、第１係合部１８０と係合する第２係合部２８０が設けられている。第１係合部１８０と第２係合部２８０とは、互いに対向する位置に配置されている。第１係合部１８０は、例えば係合爪であり、第２係合部２８０は、例えば、係合孔である。係合孔内には、係合爪が係止される係止部２８１が形成されている。発光パネル１０１をベース部材２０１の第１面２０１ａに重ねて配置することにより、第１係合部１８０が第２係合部２８０内に入り込み、第１係合部１８０が係止部２８１に係止される（第１係合部１８０と第２係合部２８０とが係合する）ようになっている。第１係合部１８０が係止部２８１に係止されることにより、面光源１００がベース部材２０１から離間する方向へ移動してしまうことを、ある程度の力で規制できるようになっている。なお、第１係合部１８０と第２係合部２８０との係合が外れる程度の大きさの力で、面光源１００をベース部材２０１から離間する方向へ引っ張ることにより、面光源１００をベース部材２０１から離間させることができるようになっている。なお、第１係合部１８０および第２係合部２８０の数は、１つずつでも良いし、複数ずつでも良い。本実施例では、第１係合部１８０および第２係合部２８０が３つずつの例を図示している。
【００７４】
本実施例の場合も、発光装置の動作は、上記の実施形態と同様である。ただし、本実施例の場合、第１軸支部３１１はベース部材２０１の開口３５０内に配置されている。このため、面光源１００の面方向における発光装置の寸法を、上記の実施形態よりも小さくすることが可能である。
【００７５】
なお、本実施例の場合、第１係合部１８０および第２係合部２８０を介して、ベース部材２０１から面光源１００へと電力を供給するようにしても良い。
【００７６】
本実施例によっても、上記の実施形態と同様の効果が得られる。また、ベース部材２０１において面光源１００と対向する面（第１面２０１ａ）には凹部が形成されているか、又は、ベース部材２０１には面光源１００と対向する面（第１面２０１ａ）からその裏面（第２面２０１ｂ）に亘って貫通する開口３５０が形成され、第１軸支部３１１は凹部内又は開口３５０内に配置されている。これにより、面光源１００の面方向における発光装置の寸法を、上記の実施形態よりも小さくすることが可能である。
【００７７】
（実施例２）
図９（ａ）〜（ｄ）は実施例２に係る発光装置の光源固定装置２００を示す図であり、このうち図９（ａ）は第１面２０１ａ側から見た平面図、図９（ｂ）は側面図（図８（ａ）の下側から見た図）、図９（ｃ）は第２面２０１ｂ側から見た平面図（裏面図）、図９（ｄ）は正面図（図９（ａ）の右側から見た図）である。本実施例に係る発光装置は、以下に説明する点で上記の実施例１に係る発光装置と相違し、その他の点では実施例１に係る発光装置と同様に構成されている。
【００７８】
本実施例の場合、連結部材３１０は、例えば、幅広の柱状に形成されている。連結部材３１０の一端部には、該連結部材３１０を幅方向に貫通する軸支孔としての第１軸支部３１１が形成されている。
【００７９】
また、ベース部材２０１の第１面２０１ａには、例えば、二対のブラケット３７０が立設されている。各対のブラケット３７０によって、それぞれ軸部３７１が支持されている。これら軸部３７１は、それぞれ円柱形状のものである。これら軸部３７１は、互いに離間して、互いに同軸上に配置されている。軸部３７１の軸方向は、第１面２０１ａに対して平行で、且つ、第２面１０１ｂに対して平行となっている。
【００８０】
一方の軸部３７１によって、一方の連結部材３１０の第１軸支部３１１が軸受けされ、他方の軸部３７１によって、他方の連結部材３１０の第１軸支部３１１が軸受けされている。このため、本実施例の場合、第１軸支部３１１は、ベース部材２０１の第１面２０１ａ上に配置されている。
【００８１】
本実施例によっても、実施例１と同様の効果が得られる。本実施例の場合、ベース部材２０１の内部に第１軸支部３１１を配置できるほど、ベース部材２０１が厚くない場合でも、ベース部材２０１に第１軸支部３１１を連結することができる。よって、ベース部材２０１の厚みによる制限を受けないで済む。
【００８２】
（実施例３）
図１０（ａ）〜（ｄ）は実施例３に係る発光装置の面光源１００を示す図であり、このうち図１０（ａ）は第１面１０１ａ側から見た平面図、図１０（ｂ）は側面図（図１０（ａ）の下側から見た図）、図１０（ｃ）は第２面１０１ｂ側から見た平面図（裏面図）、図１０（ｄ）は正面図（図１０（ａ）の右側から見た図）である。図１１（ａ）〜（ｄ）は実施例３に係る発光装置の光源固定装置２００を示す図であり、このうち図１１（ａ）は第１面２０１ａ側から見た平面図、図１１（ｂ）は側面図（図１１（ａ）の下側から見た図）、図１１（ｃ）は第２面２０１ｂ側から見た平面図（裏面図）、図１１（ｄ）は正面図（図１１（ａ）の右側から見た図）である。本実施例に係る発光装置は、以下に説明する点で上記の実施形態に係る発光装置と相違し、その他の点では実施形態に係る発光装置と同様に構成されている。
【００８３】
本実施例の場合、ベース部材２０１の両側面には、それぞれ凹部３８０が形成されている。そして、凹部３８０内にそれぞれ第１軸支部３１１および軸部３２０が配置されている。
【００８４】
なお、本実施例に係る発光装置は、実施例１と同様に、第１係合部１８０および第２係合部２８０を備えている。また、第２軸支部３１２の形状も、例えば実施例１と同様となっている。
【００８５】
本実施例によっても、実施形態と同様の効果が得られる。
なお、本実施例では、ベース部材２０１に凹部３８０が形成され、この凹部３８０内に第１軸支部３１１が配置されている。よって、何らかの理由（例えば天井面や壁面に対する取り付け強度を十分確保する等）により、ベース部材２０１の面積をある程度以上の大きさにする必要がある場合でも、第１軸支部３１１の軸方向（第１回転軸方向）における光源固定装置２００の寸法を極力小さくすることができる。
【００８６】
（実施例４）
図１２（ａ）は実施例４に係る発光装置の光源固定装置の連結部材３１０の一端部を示す側面図、図１２（ｂ）は実施例４に係る発光装置の面光源に設けられた軸部３３０を示す斜視図である。本実施例に係る発光装置は、以下に説明する点で上記の実施例３に係る発光装置と相違し、その他の点では実施例３に係る発光装置と同様に構成されている。
【００８７】
本実施例の場合、図１２（ａ）に示すように、第２軸支部３１２の内面に嵌合凹部３１２ａが形成されている。一方、図１２（ｂ）に示すように、軸部３３０は、円盤状又は円柱状の本体部３３１と、本体部３３１の周面に形成された突条３３２と、を有する。突条３３２は、軸部３３０の軸方向に延びている。突条３３２は、嵌合凹部３１２ａに対して嵌合可能な形状に形成されている。面光源１００がベース部材２０１の第１面２０１ａ上に設置されたときに、突条３３２が嵌合凹部３１２ａに対して嵌合するように、突条３３２および嵌合凹部３１２ａは配置されている。
【００８８】
本実施例の場合、面光源１００がベース部材２０１の第１面２０１ａ上に設置されたときに、突条３３２が嵌合凹部３１２ａに対して嵌合することによって、面光源１００がベース部材２０１から離間する方向へ移動してしまうことを、ある程度の力で規制できるようになっている。つまり、突条３３２および嵌合凹部３１２ａが、面光源１００とベース部材２０１とを相互に機械的に固定する機能を担うようになっている。このため、本実施例に係る発光装置は、第１係合部１８０および第２係合部２８０を備えていなくても良い。
【００８９】
なお、突条３３２と嵌合凹部３１２ａとに電極部（図示略）を形成し、突条３３２が嵌合凹部３１２ａに対して嵌合することによって、ベース部材２０１から面光源１００へと電力が供給されるようになっていても良い。この場合、例えば、軸部３２０、連結部材３１０および軸部３３０を介してベース部材２０１から面光源１００へと電力が供給される。このため、この場合、本実施例に係る発光装置は、電極部１７１、１７２および電極部２７１、２７２を備えていなくても良い。
【００９０】
以上、図面を参照して実施形態及び実施例について述べたが、これらは本発明の例示であり、上記以外の様々な構成を採用することもできる。
【符号の説明】
【００９１】
１００ 面光源
２００ 光源固定装置
２０１ ベース部材
３１０ 連結部材
３１１ 第１軸支部
３１２ 第２軸支部
２７１、２７２ 電極部
３５０ 開口
【図１】
2014235866.tif 000003
【図２】
2014235866.tif 000004
【図３】
2014235866.tif 000005
【図４】
2014235866.tif 000006
【図５】
2014235866.tif 000007
【図６】
2014235866.tif 000008
【図７】
2014235866.tif 000009
【図８】
2014235866.tif 000010
【図９】
2014235866.tif 000011
【図１０】
2014235866.tif 000012
【図１１】
2014235866.tif 000013
【図１２】
2014235866.tif 000014